(57)【要約】      （修正有）【課題】安価な装置で、ランニグコストを安くする事で負担を少なく、使用安定した処理が出来るフリーエネルギー電界装置を提供する。【解決手段】水や油（化石燃料）など、この世にあるすべての液体の分子をフリーエネルギー装置を使って現状より、さらに超細分化する事によってそれぞれの本来のパワーを１００％近くに発揮出来る様にする。【選択図】図１
2014219953.tif 000002
【特許請求の範囲】
【請求項１】
水や油（化石燃料）など、この世にあるすべての液体の分子をフリーエネルギー装置を使って現状より、さらに超細分化する事によってそれぞれの本来のパワーを１００％近くに発揮出来る様にする。
今の、地球温暖化防止の原因であるＣＯ２を削減出来ひいては地球資源の保護にもなり、それぞれの経済的な負担を軽減する事に貢献する装置でもある。
【請求項２】
液体の分子を細分化するには、どうしても物理的なものが必要であり、この装置はコイルを用いて電界の状態を作り出しそこを通過させる事によって高分子（有機物や無機物が絡みあっている）状態にあるものを細分化させる装置である。
【発明の詳細な説明】
【技術分野】
【０００１】本発明は、従来、電磁波や磁石などを使った装置があって、水の浄化や、燃費の向上だといっていろんな装置がありました、確かにそれぞれ素晴らしい物だと思います、でも、なぜ普及しないのでしょうか、大手企業や周りの人達の利害関係が多く関係していて、潰されていたのも今までの実情です、さらに、それらの装置に多額の費用を投じて用いたにも関わらず効果が出なかったのも現実です、ゆえに普及していないのが現状でした。
【背景技術】
【０００２】従来、汚水処理の場合、爆気装置を備えた浄化槽が主流であり、微生物を使って浄化していましたが、ランニングコストや、いろいろ問題があるのも現実です、それと汚泥処理が必要でした。
又、油類に関しては、今まで多くの燃費節約グッズが出回っていますが、良くて１０％位の削減でした、さらに、ＣＯ２削減やパワーなどの問題はそのままでした。
【発明の概要】
【発明が解決しようとする課題】１、安価な装置で、ランニグコストを安くする事で負担を少なく、使用安定した処理が出来るように。
２、油の場合、日本では１００％近くが輸入に頼っていますので少しでも燃費を良くし、温暖化の原因であるＣＯ２を削減したい。
【課題を解決する為の手段】
１、安価でメンテナンスも少なく、設置も簡単である、ただ人目に付きやすい所に設置する。
２、一つ一つのタンクを処理しますので人手が必要で、これからの雇用創出になる。
【発明の効果】
水の場合、酸素を溶存させる事によって、透明度が上がり好気性微生物が活発になり汚泥が消えてゆく、さらに、畜産の飲用に使用したら、糞尿などの嫌な臭いが消えていって、体調も良くなり下痢がなくなり農家の収益に繋がった、同じように人間の飲用にも効果的あって便の臭いも無くなり疲れにくくなったとの報告がある、ゆえに、すべての動植物すべてに、素晴らしい効果がある事が分かる。
油の場合、（ガソリン、軽油、Ａ重油、灯油）完全燃焼に近づく為、臭いが無くなりＣＯ２が大気中の濃度と同じ又はそれ以上綺麗になった、さらに、パワーも出て音も静かになり、何よりも燃費も１５〜３０％以上削減出来た事である。
尚、循環した燃料は、社団法人、日本油料検定協会の分析センターで安全だとの証明書も頂きましたので安心して使用出る。
【発明を実施するための最良の形態】イ、水処理の場合、汚水や飲用水も基本的には、ポンプで装置の中を循環させるだけである。
ロ、油類の場合、タンクに入っている油を装置の中を循環させるだけだが、その量に応じて時間も掛かる。
【実施例】水処理に関しては、熊本動物園の池の水を綺麗にする為に、今まで地元の大学や企業さん達がチャレンジされましたが、すべて失敗されていました、でも、この装置で成功しました、ちなみに水も輝いていますし、汚泥も消えていきます、また、畜産関係の浄化や飲用に使用しても１００％効果が出今迄のあらゆる装置をも凌ぐ物である。
油類に関しては、ディゼル車特有の黒煙が無くなり、パワーが出て臭いも無くなる、勿論ＣＯ２も削減出来き、燃費も１５〜２０％削減出来た、ガソリン車も同様である。
Ａ重油を使用する、ハウスボイラーでは、目を突く特有の臭いも無く使うほど燃費が良くなり３０〜４０％以上の燃費節減となる、勿論ＣＯ２も少ない為、地球温暖化防止に貢献する。
また、食品など液体物のそれぞれの味が分かる様になるし、体の痛い所に当てると痛みが無くなる。
【産業上の利用可能性】今、私達は地球温暖化の影響で、世界各地で災害などが起きて不安な状況の中で生活しています、それも一つの原因として化石燃料から出るＣＯ２を何とかしないと云いますが、それを少なくする為の方策はこれといった物がありませんでした、しかし、フリーエネルギー電界装置を使用する事によって解決する事が証明されました、今大学との共同を言われていますので、これからもっと利用範囲が広がると思います、さらに２１世紀の時代は旧態前のままでは地球はダメになってしまいますので、個々の人々が子孫や地球を守る為にも新たな発想が必要です、ゆえに産業界だけでなく国家レベルひいては地球レベルで応用して欲しい産業と思います。
【符号の説明】（イ）制御盤
（ロ）電界コイル
（ハ）基板
【図１】
2014219953.tif 000003
【手続補正書】
【提出日】平成25年7月11日(2013.7.11)
【手続補正１】
【補正対象書類名】明細書
【補正対象項目名】全文
【補正方法】変更
【補正の内容】
【発明の詳細な説明】
【技術分野】
【０００１】本発明は、従来、電磁波や磁石などを使った装置があって、水の浄化や、燃費の向上だといっていろんな装置がありました、確かにそれぞれ素晴らしい物だと思います、でも、なぜ普及しないのでしょうか、大手企業や周りの人達の利害関係が多く関係していて、潰されていたのも今までの実情です、さらに、それらの装置に多額の費用を投じて用いたにも関わらず効果が出なかったのも現実です、ゆえに普及していないのが現状でした。
【背景技術】
【０００２】従来、汚水処理の場合、爆気装置を備えた浄化槽が主流であり、微生物を使って浄化していましたが、ランニングコストや、いろいろ問題があるのも現実です、それと汚泥処理が必要でした。
又、油類に関しては、今まで多くの燃費節約グッズが出回っていますが、良くて１０％位の削減でした、さらに、ＣＯ２削減やパワーなどの問題はそのままでした。
【発明の概要】
【発明が解決しようとする課題】
【０００３】１、安価な装置で、ランニグコストを安くする事で負担を少なく、使用安定した処理が出来るように。
２、油の場合、日本では１００％近くが輸入に頼っていますので少しでも燃費を良くし、温暖化の原因であるＣＯ２を削減したい。
【課題を解決する為の手段】
【０００４】１、安価でメンテナンスも少なく、設置も簡単である、ただ人目に付きやすい所に設置する。
２、一つ一つのタンクを処理しますので人手が必要で、これからの雇用創出になる。
【発明の効果】
【０００５】水の分子を微細化させ、さらに酸素を溶存させる事によって、透明度が上がり好気性微生物が活発になり有機質汚泥も消えていきまます、ＢＯＤも放流基準内までに綺麗にします。
また、処理した水を畜産の飲用に使用したら、糞尿などの嫌な臭いが消えていって、体調も良くなり下痢がなくなり農家の収益に繋がった、同じように人間の飲用にも効果的あって便の臭いも無くなり疲れにくくなったとの報告がある、ゆえに、すべての動植物すべてに、素晴らしい効果がある事が分かる。
油の場合、（ガソリン、軽油、Ａ重油、灯油）完全燃焼に近づく為、臭いが無くなりＣＯ２が大気中の濃度と同じ又はそれ以上出なくなった、さらに、パワーも出て音も静かになり、何よりも燃費も１５〜３０％以上削減出来た事である。
尚、循環した燃料は、社団法人、日本油料検定協会の分析センターで安全だとの証明書も頂きましたので安心して使用出る。
【図面の簡単な説明】
【０００６】
【図１】電界装置部分の平面図と側面図、それと制御盤ＢＯＸである。
【発明を実施するための最良の形態】
【０００７】イ、水処理の場合、汚水や飲用水も基本的には、ポンプで装置の中を循環させるだけである。
ロ、油類の場合、タンクに入っている油を装置の中を循環させるだけだが、その量に応じて時間も掛かる。
【実施例】
【０００８】水処理に関しては、熊本動物園の池の水を綺麗にする為に、今まで地元の大学や企業さん達がチャレンジされましたが、すべて失敗されていました、でも、この装置で成功しました、ちなみに水も輝いていますし、汚泥も消えていきます、また、畜産関係の浄化や飲用に使用しても１００％効果が出、今迄のあらゆる装置をも凌ぐ物である。
油類に関しては、ディゼル車特有の黒煙が無くなり、パワーが出て臭いも無くなる、勿論ＣＯ２も削減出来き、燃費も１５〜２０％削減出来た、ガソリン車も同様である。
Ａ重油を使用する、ハウスボイラーでは、目を突く特有の臭いも無く使うほど燃費が良くなり３０〜４０％以上の燃費節減となる、勿論ＣＯ２も少ない為、地球温暖化防止に貢献する。
また、食品など液体物のそれぞれの味が分かる様になるし、体の痛い所に当てると痛みが無くなる、
【産業上の利用可能性】
【０００９】今、私達は地球温暖化の影響で、世界各地で災害などが起きて不安な状況の中で生活しています、それも一つの原因として化石燃料から出るＣＯ２を何とかしないと云いますが、それを少なくする為の方策はこれといった物がありませんでした、しかし、液体微細化装置を使用する事によって解決する事が証明されました、今大学との共同を言われていますので、これからもっと利用範囲が広がると思います、さらに２１世紀の時代は旧態前のままでは地球はダメになってしまいますので、個々の人々が子孫や地球を守る為にも新たな発想が必要です、ゆえに産業界だけでなく国家レベルひいては地球レベルで応用して欲しい産業と思います。
【符号の説明】
【００１０】（イ）制御盤
（ロ）電界コイル
（ハ）基板
【手続補正２】
【補正対象書類名】図面
【補正対象項目名】全図
【補正方法】変更
【補正の内容】
【図１】
2014219953.tif 000004